【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
ハイブリッド自動再送要求(ＨＡＲＱ)をサポートする通信システムにおけるデータを送受信する方法であって、
(ａ) ＨＡＲＱプロセス情報とパーシステント伝送リソース割り当て周期情報を受信する過程と、
(ｂ) 前記パーシステント伝送リソース割り当て周期情報によって割り当てられた伝送リソースを通じてデータを受信する過程と、
(ｃ) 前記ＨＡＲＱプロセス情報と、前記パーシステント伝送リソース割り当て周期情報と、時間情報と、を用いてＨＡＲＱプロセス識別子を計算する過程と、
(ｄ) 前記計算されたＨＡＲＱプロセス識別子に対応するＨＡＲＱプロセスに前記受信されたデータを伝達する過程と、
を含むことを特徴とする方法。
【請求項２】
前記ＨＡＲＱプロセス情報は、パーシステント伝送リソース割り当てのためのＨＡＲＱプロセスの個数を含むことを特徴とする請求項１に記載の方法。
【請求項３】
前記時間情報は、ＳＦＮ(System Frame Number）とサブフレーム番号により決定されることを特徴とする請求項１に記載の方法。
【請求項４】
前記ＨＡＲＱプロセス識別子は、次の数式により決定され、
ＨＡＲＱプロセス識別子＝ｓ ｍｏｄｕｌｏ ｎ
ここで、ｓはｔ／ｉから求められた整数であり、ｔは前記時間情報であり、ｉは前記パーシステント伝送リソース割り当て周期情報であり、ｎは前記ＨＡＲＱプロセス情報であることを特徴とする請求項１に記載の方法。
【請求項５】
Ｌ１／Ｌ２制御情報の伝送が存在するか否かを確認する過程と、
前記Ｌ１／Ｌ２制御情報の伝送がないと、前記(b)、(c)、(d）過程を遂行する過程と、
前記Ｌ１／Ｌ２制御情報の伝送があると、前記Ｌ１／Ｌ２制御情報によってデータを受信し、前記Ｌ１／Ｌ２制御情報に対応するＨＡＲＱプロセスに前記受信されたデータを伝達する過程と、
をさらに含むことを特徴とする請求項１に記載の方法。
【請求項６】
ハイブリッド自動再送要求(ＨＡＲＱ)をサポートする通信システムにおけるデータを送受信する方法であって、
ＨＡＲＱプロセス情報とパーシステント伝送リソース割り当て周期情報を送信する過程と、
前記パーシステント伝送リソース割り当て周期情報によって割り当てられた伝送リソースを通じてデータを送信する過程と、
を含み、
ここで、前記データのＨＡＲＱプロセス識別子(identifier）は、前記ＨＡＲＱプロセス情報と、前記パーシステント伝送リソース割り当て周期情報と、時間情報と、により決定されることを特徴とする方法。
【請求項７】
前記ＨＡＲＱプロセス情報は、パーシステント伝送リソース割り当てのためのＨＡＲＱプロセスの個数を含むことを特徴とする請求項６に記載の方法。
【請求項８】
前記時間情報は、ＳＦＮ(System Frame Number）とサブフレーム番号により決定されることを特徴とする請求項６に記載の方法。
【請求項９】
前記ＨＡＲＱプロセス識別子は、次の数式により決定され、
ＨＡＲＱプロセス識別子＝ｓ ｍｏｄｕｌｏ ｎ
ここで、ｓはｔ／ｉから求められた整数であり、ｔは前記時間情報であり、ｉは前記パーシステント伝送リソース割り当て周期情報であり、ｎは前記ＨＡＲＱプロセス情報であることを特徴とする請求項６に記載の方法。
【請求項１０】
Ｌ１／Ｌ２制御情報の伝送が存在するか否かを確認する過程と、
前記Ｌ１／Ｌ２制御情報の伝送がないと、前記決定されたＨＡＲＱプロセス識別子と前記パーシステント伝送リソース割り当て周期情報によって割り当てられた伝送リソースを用いて前記データを伝送する過程と、
前記Ｌ１／Ｌ２制御情報の伝送があると、前記Ｌ１／Ｌ２制御情報によって前記ＨＡＲＱプロセス識別子を設定し、前記Ｌ１／Ｌ２制御情報を伝送する過程と、
をさらに含むことを特徴とする請求項６に記載の方法。
【請求項１１】
ハイブリッド自動再送要求(ＨＡＲＱ)をサポートする通信システムにおけるデータを送受信する装置であって、
ＨＡＲＱプロセス情報とパーシステント伝送リソース割り当て周期情報を受信し、前記パーシステント伝送リソース割り当て周期情報によって割り当てられた伝送リソースを通じてデータを受信する受信部と、
ＨＡＲＱプロセス識別子(identifier)に対応する前記受信部から受信されたデータのためのＨＡＲＱ動作を遂行するＨＡＲＱプロセスと、
前記ＨＡＲＱプロセス情報と、前記パーシステント伝送リソース割り当て周期情報と、時間情報と、を用いて前記ＨＡＲＱプロセス識別子を計算する制御部と、
を含むことを特徴とする装置。
【請求項１２】
前記ＨＡＲＱプロセス情報は、パーシステント伝送リソース割り当てのためのＨＡＲＱプロセスの個数を含むことを特徴とする請求項１１に記載の装置。
【請求項１３】
前記時間情報は、ＳＦＮ(System Frame Number）とサブフレーム番号により決定されることを特徴とする請求項１１に記載の装置。
【請求項１４】
前記ＨＡＲＱプロセス識別子は、次の数式により決定され、
ＨＡＲＱプロセス識別子＝ｓ ｍｏｄｕｌｏ ｎ 
ここで、ｓはｔ／ｉから求められた整数であり、ｔは前記時間情報であり、ｉは前記パーシステント伝送リソース割り当て周期情報であり、ｎは前記ＨＡＲＱプロセス情報であることを特徴とする請求項１１に記載の装置。
【請求項１５】
前記制御部は、Ｌ１／Ｌ２制御情報の伝送が存在するか否かを確認し、
前記Ｌ１／Ｌ２制御情報の伝送がないと、前記制御部は前記ＨＡＲＱプロセス情報と前記パーシステント伝送リソース割り当て周期情報と前記時間情報とを用いて前記ＨＡＲＱＩＤを計算し、前記受信部は前記計算されたＨＡＲＱ ＩＤに対応するＨＡＲＱプロセスに前記受信されたデータを伝達し、
前記Ｌ１／Ｌ２制御情報の伝送があると、前記制御部は前記Ｌ１／Ｌ２制御情報によってデータを受信し、前記Ｌ１／Ｌ２制御情報に対応するＨＡＲＱプロセスに前記受信されたデータを伝達することを特徴とする請求項１１に記載の装置。
【請求項１６】
ハイブリッド自動再送要求(ＨＡＲＱ)をサポートする通信システムにおけるデータを送受信する装置であって、
ＨＡＲＱプロセス情報と、パーシステント伝送リソース割り当て周期情報と、時間情報と、によりＨＡＲＱプロセス識別子(identifier)を決定する制御部と、
前記ＨＡＲＱプロセス識別子に基づいて前記データを格納するＨＡＲＱプロセスと、
前記ＨＡＲＱプロセス情報と前記パーシステント伝送リソース割り当て周期情報を送信し、前記パーシステント伝送リソース割り当て周期情報によって割り当てられた伝送リソースを通じて前記データを送信する送信部と、
を含むことを特徴とする装置。
【請求項１７】
前記ＨＡＲＱプロセス情報は、パーシステント伝送リソース割り当てのためのＨＡＲＱプロセスの個数を含むことを特徴とする請求項１６に記載の装置。
【請求項１８】
前記時間情報は、ＳＦＮ(System Frame Number）とサブフレーム番号により決定されることを特徴とする請求項１６に記載の装置。
【請求項１９】
前記ＨＡＲＱプロセス識別子は、次の数式により決定され、
ＨＡＲＱプロセス識別子＝ｓ ｍｏｄｕｌｏ ｎ 
ここで、ｓはｔ／ｉから求められた整数であり、ｔは前記時間情報であり、ｉは前記パーシステント伝送リソース割り当て周期情報であり、ｎは前記ＨＡＲＱプロセス情報であることを特徴とする請求項１６に記載の装置。
【請求項２０】
前記制御部は、Ｌ１／Ｌ２制御情報の伝送が存在するか否かを確認し、
前記Ｌ１／Ｌ２制御情報の伝送がないと、前記送信部は前記決定されたＨＡＲＱプロセス識別子と前記パーシステント伝送リソース割り当て周期情報によって割り当てられた伝送リソースを用いて前記データを伝送し、
前記Ｌ１／Ｌ２制御情報の伝送があると、前記制御部は前記Ｌ１／Ｌ２制御情報によって前記ＨＡＲＱプロセス識別子を設定し、前記送信部は前記Ｌ１／Ｌ２制御情報を伝送することを特徴とする請求項１６に記載の装置。